(57)【要約】【課題】本考案は、収納物の高さに合わせて内部収納空間の容量を変化させるようにする。【解決手段】本考案は、内部収納空間が形成された本体部の蓋として機能する複数の蓋板部４Ａ〜４Ｄからなる蓋板４と、内部収納空間に収納される複数種類の商品４０Ａ〜４０Ｃの高さに合わせて、当該内部収納空間の容量を変化させるための複数の大容量折目５Ａ１〜５Ｄ１、中容量折目５Ａ２〜５Ｄ２、小容量折目５Ａ３〜５Ｄ３が水平方向に設けられた段ボール箱１の側壁を形成する複数の側板部３Ａ〜３Ｄからなる側板３とを具え、複数の折目のうち何れか一つが選択され、当該選択された折目まで切り込みが入れられた場合、その折目を介して側板部３Ａ〜３Ｄが折り曲げられることにより内部収納空間の容量を変化させる。【選択図】図１
0003124190.tif 000002
【実用新案登録請求の範囲】
【請求項１】
内部収納空間が形成された本体部の蓋として機能する複数の蓋板部からなる蓋板と、
上記内部収納空間に収納される複数種類の収納物の高さに合わせて、当該内部収納空間の容量を変化させるための複数の折目が水平方向に設けられた上記本体部の側壁を形成する複数の側板部からなる側板と
を具え、
上記複数の折目のうち何れか一つが選択され、当該選択された折目まで切り込みが入れられた場合、その折目を介して上記複数の側板部が折り曲げられることにより上記内部収納空間の容量が変化する
ことを特徴とする梱包箱。
【考案の詳細な説明】
【技術分野】
【０００１】
本考案は、梱包箱に関し、例えば段ボール箱に適用して好適なものである。
【背景技術】
【０００２】
従来、段ボール箱においては、例えば化粧箱等によってパッケージされた商品が段ボール箱の内部収納空間に梱包される場合、当該内部収納空間を複数の商品によって完全に充填し切れない隙間に発砲スチロール系や紙系の緩衝材を介在させることにより、内部収納空間における商品の転倒を防止したり、外部からの衝撃を吸収するようになされている。
【０００３】
一方、箱状本体の上面に開口部を有する段ボール箱や、箱状本体の正面側に開口部を有する段ボール箱（例えば、特許文献１参照）等が提案されている。
【特許文献１】特開平11-105855号公報
【考案の開示】
【考案が解決しようとする課題】
【０００４】
ところでかかる構成の段ボール箱においては、その内部収納空間における容量が一定であるため、当該内部収納空間に複数の商品を収納した場合であっても、当該複数の商品の全容量が内部収納空間における容量に比して小さいと、その内部収納空間における隙間が多くなり、その隙間に介在させる緩衝材の量が無駄に多くなるという問題があった。
【０００５】
本考案は以上の点を考慮してなされたもので、収納物の高さに合わせて内部収納空間の容量を変化させることが出来る使い勝手に優れた梱包箱を提案しようとするものである。
【課題を解決するための手段】
【０００６】
かかる課題を解決するため本考案においては、内部収納空間が形成された本体部の蓋として機能する複数の蓋板部からなる蓋板と、内部収納空間に収納される複数種類の収納物の高さに合わせて、当該内部収納空間の容量を変化させるための複数の折目が水平方向に設けられた本体部の側壁を形成する複数の側板部からなる側板とを具え、複数の折目のうち何れか一つが選択され、当該選択された折目まで切り込みが入れられた場合、その折目を介して複数の側板部が折り曲げられることにより内部収納空間の容量が変化するようにする。
【０００７】
これにより、内部収納空間に収納される収納物の高さに合わせて複数の側板部に設けられた折目を自在に選択することができるので、収納物の容量に合わせて内部収納空間の容量を変化させることができる。
【考案の効果】
【０００８】
本考案によれば、内部収納空間に収納される収納物の高さに合わせて複数の側板部に設けられた折目を自在に選択することができるので、収納物の容量に合わせて内部収納空間の容量を変化させることができ、かくして収納物の高さに合わせて内部収納空間の容量を変化させ得る使い勝手に優れた梱包箱を実現することが出来る。
【考案を実施するための最良の形態】
【０００９】
以下、図面について、本考案の一実施の形態を詳述する。
【００１０】
（１）段ボール箱の構成
図１において、１は全体として本考案の梱包箱としての段ボール箱を示し、矩形状でなる内部収納空間の底面を形成する底板２と、当該内部収納空間の側壁を形成する側板３と、当該側板３の上部が所定位置で約９０度に折り曲げられることにより蓋部を形成する蓋板４とによって構成されている。
【００１１】
この側板３は４枚の側板部３Ａ〜３Ｄからなり、蓋板４についても４枚の蓋板部４Ａ〜４Ｄからなっているが、当該４枚の蓋板部４Ａ〜４Ｄについては、４枚の側板部３Ａ〜３Ｄにおける所定位置からそれぞれ折り曲げられた先端部分が相当し、これら４枚の蓋板部４Ａ〜４Ｄと４枚の側板部３Ａ〜３Ｄとは一体化された構造を有している。
【００１２】
側板部３Ａには、当該側板部３Ａと蓋板部４Ａとの境目を形成する大容量折目５Ａ１、中容量折目５Ａ２及び小容量折目５Ａ３が設けられている。また側板部３Ｂにも、当該側板部３Ｂと蓋板部４Ｂとの境目を形成する大容量折目５Ｂ１、中容量折目５Ｂ２及び小容量折目５Ｂ３が設けられている。
【００１３】
同様に、側板部３Ｃにも、当該側板部３Ｃと蓋板部４Ｃとの境目を形成する大容量折目５Ｃ１、中容量折目５Ｃ２及び小容量折目５Ｃ３が設けられ、側板部３Ｄにも、当該側板部３Ｄと蓋板部４Ｄとの境目を形成する大容量折目５Ｄ１、中容量折目５Ｄ２及び小容量折目５Ｄ３が設けられている。
【００１４】
このような側板部３Ａに設けられた大容量折目５Ａ１、中容量折目５Ａ２、小容量折目５Ａ３、側板３Ｂに設けられた大容量折目５Ｂ１、中容量折目５Ｂ２、小容量折目５Ｂ３、側板５Ｃに設けられた大容量折目５Ｃ１、中容量折目５Ｃ２、小容量折目５Ｃ３、側板５Ｄに設けられた大容量折目５Ｄ１、中容量折目５Ｄ２、小容量折目５Ｄ３については、折り曲げられる方向に合わせて内部収納空間の内周側にのみ設けられており、外周側には設けられていないため、外周側からみたときには視覚的に一般の段ボール箱と何ら変わらない外観構成を有するようになされている。
【００１５】
因みに、段ボール箱１では、大容量折目５Ａ１、５Ｂ１、５Ｃ１、５Ｄ１と、中容量折目５Ａ２、５Ｂ２、５Ｃ２、５Ｄ２と、小容量折目５Ａ３、５Ｂ３、５Ｃ３、５Ｄ３とでは、その間隔が約５ｃｍ程度に設定されており、中容量折目５Ａ２、５Ｂ２、５Ｃ２、５Ｄ２や小容量折目５Ａ３、５Ｂ３、５Ｃ３、５Ｄ３が折り曲げ位置として選択された場合、側板部３Ａ、３Ｂ、３Ｃ、３Ｄ間に所定長さの切込みが必要となる。
【００１６】
実際上、側板部３Ａ〜３Ｄは、大容量折目５Ａ１、５Ｂ１、５Ｃ１、５Ｄ１で折り曲げられた場合その内部収納空間が最大容量になり、小容量折目５Ａ３、５Ｂ３、５Ｃ３、５Ｄ３で折り曲げられた場合その内部収納空間が最小容量になり、中容量折目５Ａ２、５Ｂ２、５Ｃ２、５Ｄ２で折り曲げられた場合その内部収納空間が中容量になるようになされている。
【００１７】
従ってユーザは、段ボール箱１の内部収納空間に収納する商品の高さが中容量折目５Ａ２、５Ｂ２、５Ｃ２、５Ｄ２を超えているときには、大容量折目５Ａ１、５Ｂ１、５Ｃ１、５Ｄ１を選択して蓋板部４Ａ〜４Ｄを折り曲げるようになされている。
【００１８】
この場合、段ボール箱１では蓋板部４Ｂ及び４Ｄが向かい合うように大容量折目５Ｂ１及び５Ｄ１を介して折り曲げられた後、図２（Ａ）に示すように、蓋板部４Ａ及び４Ｃが向かい合うように大容量折目５Ａ１及び５Ｃ１を介して折り曲げられることにより、内部収納空間が最大容量になる。
【００１９】
またユーザは、段ボール箱１（図１）の内部収納空間に収納する商品の高さが小容量折目５Ａ３、５Ｂ３、５Ｃ３、５Ｄ３を超え、かつ中容量折目５Ａ２、５Ｂ２、５Ｃ２、５Ｄ２よりも低いとき、中容量折目５Ａ２、５Ｂ２、５Ｃ２、５Ｄ２を選択して側板３Ａ〜３Ｄに所定長さの切込みを設けたうえで蓋板部４Ａ〜４Ｄを折り曲げるようになされている。
【００２０】
この場合、段ボール箱１では蓋板部４Ｂ及び４Ｄが向かい合うように中容量折目５Ｂ２及び５Ｄ２を介して折り曲げられた後、図２（Ｂ）に示すように、蓋板部４Ａ及び４Ｃが向かい合うように中容量折目５Ａ２及び５Ｃ２を介して折り曲げられることにより、内部収納空間が中容量になる。このとき蓋板部４Ｂ及び４Ｄ同士や蓋板部４Ａ及び４Ｃ同士は、折り曲げられた際に、図２（Ａ）とは異なって、互いに重なる部分が生じる。
【００２１】
さらにユーザは、段ボール箱１（図１）の内部収納空間に収納する商品の高さが小容量折目５Ａ３、５Ｂ３、５Ｃ３、５Ｄ３よりも低いとき、小容量折目５Ａ３、５Ｂ３、５Ｃ３、５Ｄ３を選択して側板３Ａ〜３Ｄに所定長さの切込みを設けたうえで蓋板部４Ａ〜４Ｄを折り曲げるようになされている。
【００２２】
この場合、段ボール箱１では蓋板部４Ｂ及び４Ｄが向かい合うように小容量折目５Ｂ３及び５Ｄ３を介して折り曲げられた後、図２（Ｃ）に示すように、蓋板部４Ａ及び４Ｃが向かい合うように小容量折目５Ａ３及び５Ｃ３を介して折り曲げられることにより、内部収納空間が最小容量になる。このとき蓋板部４Ｂ及び４Ｄ同士や蓋板部４Ａ及び４Ｃ同士は、折り曲げられた際に、図２（Ｂ）よりも、重なる部分が一段と大きくなる。
【００２３】
このように段ボール箱１では、４枚の側板部３Ａ〜３Ｄにおける折り曲げ位置が内部収納空間に収納される商品の高さに合わせて任意に選択されることにより、それぞれ容積が異なる３種類の内部収納空間を形成し得るようになされている。
【００２４】
ところで段ボール箱１は、図３に示すような段ボール紙３０によって構成されており、内部収納空間が形成された時に、その内周側となる内側厚紙３１と、外周側となる外側厚紙３２とを有している。
【００２５】
この段ボール紙３０では、当該内側厚紙３１と当該外側厚紙３２とが波状の中芯３３を挟むように構成されており、外側厚紙３２が内側厚紙３１に比して柔らかい紙材によって形成されていることにより外部からの衝撃を緩和し得ると共に、内側厚紙３１が外側厚紙３２よりも厚手の紙材によって形成されていることにより、内部の商品を十分に保護し得るようになされている。
【００２６】
ここで段ボール紙３０は、その材質として例えば表ライナー「Ｋ６」、中芯強化「１８０ｇ／ｍ２」、裏ライナー「Ｋ５」の構成で形成されている。但し、必ずしもこれに限るものではなく、内部収納空間に収納する商品の重さや破損し易さ等の種々の要因に応じて、その他の構成でなる残ボール紙３０を用いることができる。
【００２７】
さらに、段ボール紙３０では、内側厚紙３１がプレス加工されたときに、そのプレス加工された箇所が約１[mm]程度だけ潰されることにより各種折目５が形成されるようになされている。
【００２８】
このような段ボール箱１は、１枚の段ボール紙３０を主に折り畳むだけで内部収納空間を形成するように構築されており、その展開図を図４に示す。
【００２９】
段ボール箱１は、例えば高さ２４０ｍｍ、幅２６０ｍｍでなる側板部３Ａ〜側板部３Ｄの境界部分に設けられた折目を介して約９０度にそれぞれ折り曲げられ、側板部３Ａの糊代片９が側板部４Ｄの端部に貼り付けられるようになされている。
【００３０】
この段ボール箱１は、当初の状態では大容量折目５Ａ１、５Ｂ１、５Ｃ１、５Ｄ１が選択されることを前提として作成されており、長さ１３０ｍｍ、幅２６０ｍｍの蓋板部４Ａ〜４Ｄが側板部３Ａ〜３Ｄと一体化された構造を有している。
【００３１】
ここで段ボール箱１は、側板部３Ａ〜３Ｄの目８が当該側板部３Ａ〜３Ｄの境界部分の折目と同一方向に設定されていることにより、当該折目に対する切り込みを容易に入れられるように考慮されている。
【００３２】
また側板部３Ａは、底面２を形成する長さ１６０ｍｍ、幅２６０ｍｍの底板部２Ａと一体化され、側板部３Ｂは長さ１２０ｍｍ、幅２６０ｍｍの底板部２Ｂと一体化され、側板部３Ｃは長さ１６０ｍｍ、幅２６０ｍｍの底板部２Ｃと一体化され、側板部３Ｄは長さ１２０ｍｍ、幅２６０ｍｍの底板部２Ｄと一体化されている。
【００３３】
段ボール箱１では、側板部３Ａ〜３Ｄが互いの境界部分に設けられた折目を介して約９０度に折り曲げられると、底板部２Ａの接着部２ＡＮが底板部２Ｂと貼り付けられると共に、破線で示す斜折目を介して折り曲げられる。また、底板部２Ｃの接着部２ＣＮが底板部２Ｄと貼り付けられると共に、破線で示す斜折目を介して折り曲げられる。
【００３４】
これにより段ボール箱１は、側板部３Ａ〜３Ｄが互いの境界部分の折目で約９０度に折り曲げられた際、底板部２Ｂと底板部２Ｃとが重なり合い、底板部２Ｄと底板部２Ａとが重なり合うことにより、底面２が形成され得るようになされている。
【００３５】
（２）段ボール箱の組立て手順
従って段ボール箱１では、図５（Ａ）に示すように、側板部３Ａと側板部３Ｂとが重ね合わされ、かつ側板部３Ｃと側板部３Ｄとが重ね合わされた折り畳み状態から、図５（Ｂ）及び（Ｃ）に示すように、互いに隣り合う側板部３Ａ〜３Ｄ同士が約９０度の角度へ近づくように起こされるに連れて、底板部２Ｂと底板部２Ｃ、底板部２Ｄと底板部２Ａが互いに重なり合うことにより、図５（Ｄ）に示すように内部収納空間の底板２が形成されるようになされている。
【００３６】
このとき段ボール箱１は、底板２をガムテープ等により接着する必要がなく、かつ底板部２Ｂと底板部２Ｃ、底板部２Ｄと底板部２Ａが互いに重なり合う部分を有することにより、強固な底面を形成し得るようになされている。
【００３７】
このように段ボール箱１は、図５（Ａ）に示した折り畳み状態から、図５（Ｄ）に示した内部収納空間を形成した底面形成状態までをユーザのワンタッチ操作で簡易に変化させ得るようになされている。
【００３８】
一方、段ボール箱１の内部収納空間に収納される収納物としての商品は、図６（Ａ）〜（Ｃ）に示すように、香水等の液体系物質や、ゼリー状物質を内容物とするビン製品が化粧箱に収められた商品４０Ａ、４０Ｂ及び４０Ｃであり、その高さがそれぞれ異なっている。
【００３９】
例えば、商品４０Ａの高さが２００ｍｍであり、商品４０Ｂの高さが１５０ｍｍであり、商品４０Ｃの高さが１００ｍｍの場合を想定すると、段ボール箱１では、これらの商品４０Ａ〜４０Ｃが混在した状態で内部収納空間に収納された場合、図７（Ａ）に示すように商品４０Ａ及び商品４０Ｂが混在しているのであれば、最も背の高い商品４０Ａに合わせた大容量折目５Ａ１、５Ｂ１、５Ｃ１、５Ｄ１が選択される。
【００４０】
また段ボール箱１では、図７（Ｂ）に示すように商品４０Ｂ及び商品４０Ｃが内部収納空間に混在しているのであれば、最も背の高い商品４０Ｂに合わせた中容量折目５Ａ２、５Ｂ２、５Ｃ２、５Ｄ２が選択される。
【００４１】
さらに段ボール箱１では、図７（Ｃ）に示すように最も背の低い商品４０Ｃだけが内部収納空間に収納されているのであれば、当該商品４０Ｃに合わせた小容量折目５Ａ３、５Ｂ３、５Ｃ３、５Ｄ３が選択されることになる。
【００４２】
このように段ボール箱１は、内部収納空間に収納する商品４０Ａ〜４０Ｃの高さに合わせて、大容量折目５Ａ１、５Ｂ１、５Ｃ１、５Ｄ１、中容量折目５Ａ２、５Ｂ２、５Ｃ２、５Ｄ２、若しくは小容量折目５Ａ３、５Ｂ３、５Ｃ３、５Ｄ３の何れかをユーザに選択させ得るようになされているので、内部収納空間のスペースを無駄に余らせることがなく、蓋板４と商品４０Ａ〜４０Ｃとの間のスペースに充填すべき緩衝材４１Ａ〜４１Ｃの容量を極力少なくすることができるようになされている。
【００４３】
（３）動作及び効果
以上の構成において、段ボール箱１では、ユーザによって内部収納空間に収納する商品４０Ａ〜４０Ｃの高さに合わせて、大容量折目５Ａ１、５Ｂ１、５Ｃ１、５Ｄ１、中容量折目５Ａ２、５Ｂ２、５Ｃ２、５Ｄ２、又は小容量折目５Ａ３、５Ｂ３、５Ｃ３、５Ｄ３の何れかを選択させ得るようになされていることにより、商品４０Ａ〜４０Ｃ等の収納物の高さに合わせた蓋部４を用いることができるので、無駄なスペースが極力存在しない内部収納空間を形成し、当該内部収納空間に充填すべき緩衝材４１の容量を最小限度に抑えることができる。
【００４４】
また段ボール箱１では、商品４０Ｃだけを収納物としたときには当該段ボール箱１自身の高さをその商品４０Ｃ自身の高さ程度に極力低くすることができるので、段ボール箱１を輸送する際の輸送効率を大幅に向上させることができる。
【００４５】
以上の構成によれば、収納物自体の高さに応じて内部収納空間の高さを自在に変化させ得る段ボール箱１を実現することができる。
【００４６】
（４）他の実施の形態
なお上述の実施の形態においては、側板部３Ａ〜３Ｄに対して大容量折目５Ａ１〜５Ｄ１、中容量折目５Ａ２〜５Ｄ２、小容量折目５Ａ３〜５Ｄ３を設けるようにした場合について述べたが、本考案はこれに限らず、大容量折目５Ａ１〜５Ｄ１以外に少なくとも１本以上の折目を設けるようにすれば、任意の数の折目を設けるようにしても良い。
【００４７】
また上述の実施の形態においては、大容量折目５Ａ１〜５Ｄ１、中容量折目５Ａ２〜５Ｄ２、小容量折目５Ａ３〜５Ｄ３を５ｃｍ間隔ずつ設けるようにした場合について述べたが折目の本数はこれに限らず、任意の間隔で設けたり、最初の間隔と次の間隔とが異なるように設けても良い。
【００４８】
さらに上述の実施の形態においては、商品４０Ａの高さが２００ｍｍであり、商品４０Ｂの高さが１５０ｍｍであり、商品４０Ｃの高さが１００ｍｍの場合を想定するようにした場合について述べたが、本考案はこれに限らず、大容量折目５Ａ１〜５Ｄ１、中容量折目５Ａ２〜５Ｄ２、小容量折目５Ａ３〜５Ｄ３の高さと商品４０Ａ〜商品４０Ｃの高さとをほぼ同程度に揃えるようにしても良い。この場合、段ボール箱１では、蓋板４の裏面が商品４０Ａ〜４０Ｃに対する押さえの役割を担うことになるので、緩衝材４１の容量を更に少なくすることができる。
【産業上の利用可能性】
【００４９】
本考案の梱包箱は、収納物を梱包する段ボール箱以外の化粧箱等に利用することが可能である。
【図面の簡単な説明】
【００５０】
【図１】本考案による段ボール箱の外観構成を示す略線的斜視図である。
【図２】段ボール箱形成例を示す略線図である。
【図３】段ボール紙の構造を示す略線図である。
【図４】段ボール箱の展開構造を示す略線図である。
【図５】組立て手順の説明に供する略線図である。
【図６】内部収納物としての商品の種類を示す略線的斜視図である。
【図７】内部収納空間の収納状態を示す略線的断面図である。
【符号の説明】
【００５１】
１……段ボール箱、２……底板、３……側板、４……蓋板、５Ａ１、５Ｂ１、５Ｃ１、５Ｄ１……大容量折目、５Ａ２、５Ｂ２、５Ｃ２、５Ｄ２……中容量折目、５Ａ３、５Ｂ３、５Ｃ３、５Ｄ３……小容量折目、３０……段ボール紙、３１……内側厚紙、３２……外側厚紙、３３……中芯、４０Ａ〜４０Ｃ……商品、４１Ａ〜４１Ｃ……緩衝材。
【図１】
0003124190.tif 000003
【図２】
0003124190.tif 000004
【図３】
0003124190.tif 000005
【図４】
0003124190.tif 000006
【図５】
0003124190.tif 000007
【図６】
0003124190.tif 000008
【図７】
0003124190.tif 000009